(57)【要約】【課題】  曝気装置を備える水処理システムにおいて、複数の曝気装置を備え、曝気槽底部への汚泥堆積を防ぐために曝気槽底部の撹拌を行う水処理システムが知られているが、システム全体の規模が大きく、コスト高になるという課題がある。【解決手段】  上記課題を解決するために、曝気槽の略全面に設けられた曝気装置を備える水処理システムであって、前記曝気装置は、曝気槽の幅方向の略全幅に曝気体を配した全幅曝気ユニットと、曝気槽の幅方向の一部に曝気体を配した部分曝気ユニットとを組み合わせてなることを特徴とする水処理システムを提供する。この水処理システムによれば、システム全体を大きくすることなく、曝気装置を設けた面の下にも水流が生じることで曝気槽底部を撹拌し、曝気槽底部への汚泥の堆積を防ぐ効果を奏する。【選択図】図１
2018164887.tif 000002
【特許請求の範囲】
【請求項１】
曝気槽の略全面に曝気装置を備える水処理システムであって、前記曝気装置は、曝気槽の幅方向の略全幅に曝気体を配した全幅曝気ユニットと、曝気槽の幅方向の一部に曝気体を配した部分曝気ユニットとを組み合わせてなることを特徴とする、水処理システム。
【請求項２】
前記部分曝気ユニットは、曝気槽の幅方向中心側に偏在して配した複数の曝気体からなり、前記曝気装置は、前記全幅曝気ユニットと前記部分曝気ユニットとを交互に配置することを特徴とする、請求項１に記載の水処理システム。
【請求項３】
曝気槽の略全面に曝気装置を備える既設の水処理システムの改良方法であって、曝気槽の幅方向の略全幅に曝気体を配した全幅曝気ユニットから曝気体を取り外し、曝気槽の幅方向の一部に曝気体を配した部分曝気ユニットとすることを特徴とする、水処理システムの改良方法。
【請求項４】
曝気槽の略全面に曝気装置を備える既設の水処理システムの改良方法であって、曝気槽の幅方向の略全幅に曝気体を配した全幅曝気ユニットにおいて、一部の曝気体への送気を停止して、曝気槽の幅方向の一部に曝気体を配した部分曝気ユニットとすることを特徴とする、水処理システムの改良方法。
【発明の詳細な説明】
【技術分野】
【０００１】
本発明は、液体中に微細な気泡を分散させるための曝気装置を備える水処理システム及び曝気装置を配置する方法に関するものである。更に詳しくは、排水等を水処理するための曝気槽に用いる曝気装置を備える水処理システム及び水処理システムの改良方法に関するものである。
【背景技術】
【０００２】
下水や汚水等の排水を処理する方法として、排水処理装置に曝気槽を設け、この曝気槽内に曝気装置を設置し、この曝気装置により空気を微細な気泡として排水中に分散する方法がある。曝気装置は、ブロワーにより供給された酸素等を微細な気泡に変えて曝気槽内に供給し、被処理水中の溶存酸素量を高めるものである。曝気装置には、全面曝気式、旋回流式などが知られている。
【０００３】
全面曝気式は、曝気槽全体に曝気されるため、曝気効率（処理効率）が高いという特徴があるが、曝気槽底部に汚泥が堆積しやすいという面がある。一方、旋回流式は、旋回流によって曝気槽底部の汚泥も撹拌されるため、全面曝気式と比べて曝気槽底部への汚泥の堆積という問題は少ないが、曝気効率が劣るという面がある。
【０００４】
例えば、特許文献１には、曝気効率の向上及び曝気槽底部の汚泥の撹拌を目的とした全面曝気式及び旋回流式の曝気装置を備える水処理システムが記載されている。
特許文献１には、水処理システムの具体例として、仕切り壁を設けた曝気槽内の一方側の中段に第１の曝気装置及び第１の制御装置を備え、更に曝気槽内の底部に第２の曝気装置及び第２の制御装置を備えることが記載されており、中段に設けられた第１の曝気装置が旋回流式、底部に設けられた第２の曝気装置が全面曝気式であることが記載されている。
また、特許文献１には、曝気装置を備えた既存の水処理システムに、更に曝気装置を加えて配置することで、曝気効率を上げることも記載されている。
【先行技術文献】
【特許文献】
【０００５】
【特許文献１】特開平９−２７６８９１号公報
【発明の概要】
【発明が解決しようとする課題】
【０００６】
特許文献１に記載の水処理システムは、曝気槽内に設置高さの異なる複数の曝気装置を設け、更に曝気装置ごとに制御装置を付設し、制御するようになっているため、水処理システム全体として規模が大きく、設置コストや維持コストが掛かるものである。
【０００７】
そこで、本発明は、全面曝気式の曝気装置を備える水処理装置において、簡素な構造物で、曝気槽内の撹拌効率を向上することを目的とする。
【課題を解決するための手段】
【０００８】
本発明者は、上記課題について鋭意検討した結果、全面曝気式の曝気装置を備える水処理システムにおいて、曝気による下降流の一部が曝気装置の下側へ通過するように曝気装置を配置することにより、異なる高さに複数の曝気装置を設けることなく曝気装置の下側にまで流れが生じ、曝気槽内の撹拌効率が上がることを見出して本発明の水処理システムを完成させた。
また、既設の全面曝気式の曝気装置を備える水処理システムに対して、一部下降流が曝気装置の下側へ通過するように曝気装置を配置する方法を適用することにより、曝気装置の下側にまで流れが生じ、曝気槽内の撹拌効率を上げることが可能となることを見出して本発明の水処理システムの改良方法を完成させた。
具体的には、本発明は、以下の曝気装置を備える水処理システム及び水処理システムの改良方法である。
【０００９】
上記課題を解決するための本発明の水処理システムは、曝気槽の略全面に曝気装置を備える水処理システムであって、前記曝気装置は、曝気槽の幅方向の略全幅に曝気体を配した全幅曝気ユニットと、曝気槽の幅方向の一部に曝気体を配した部分曝気ユニットとを組み合わせてなることを特徴とするものである。
【００１０】
本発明の水処理システムによれば、部分曝気ユニットが設置された領域に下降流が通過する下降流スペースが形成される。この下降流スペースによって、システム全体を大きくすることなく、かつ全面曝気式曝気装置の曝気効率を下げることなく、曝気装置を設けた面の下にも水流を発生することができる。この結果、曝気槽底部の撹拌が可能となり、曝気槽底部への汚泥の堆積を防ぐ効果を奏する。
【００１１】
更に、本発明の水処理システムの一形態としては、前記部分曝気ユニットは、曝気槽の幅方向中心側に偏在して配した複数の曝気体からなり、前記曝気装置は、前記全幅曝気ユニットと前記部分曝気ユニットとを交互に配置することを特徴とするものである。
この特徴によれば、曝気槽内に一定間隔で下降流スペースが設けられることになるため、曝気槽底部において良好な撹拌状態が形成される。
【００１２】
また、上記課題を解決するための本発明の水処理システムの改良方法は、曝気槽の略全面に曝気装置を備える既設の水処理システムの改良方法であって、曝気槽の幅方向の略全幅に曝気体を配した全幅曝気ユニットから曝気体を取り外し、曝気槽の幅方向の一部に曝気体を配した部分曝気ユニットとすることを特徴とするものである。
【００１３】
また、上記課題を解決するための本発明の水処理システムの改良方法は、曝気槽の略全面に曝気装置を備える既設の水処理システムの改良方法であって、曝気槽の幅方向の略全幅に曝気体を配した全幅曝気ユニットにおいて、一部の曝気体への送気を停止して、曝気槽の幅方向の一部に曝気体を配した部分曝気ユニットとすることを特徴とするものである。
【００１４】
これらの本発明の水処理システムの改良方法によれば、既設の全面曝気式曝気装置に対して、他の付設設備を設けることなく、かつ曝気効率を下げることなく、曝気装置を設けた面の下にも水流が生じるような曝気装置の配置が可能となる。この結果、曝気槽底部の撹拌を可能とし、曝気槽底部への汚泥の堆積を防ぐ効果を奏する。
【発明の効果】
【００１５】
本発明の水処理システムによれば、曝気装置を設けた面に曝気による下降流が通過する下降流スペースが形成されることで、システム全体を大きくすることなく、かつ全面曝気式曝気装置の曝気効率を下げることなく、曝気装置を設けた面の下にも水流が生じる。この結果、曝気槽底部の撹拌を可能とし、曝気槽底部への汚泥の堆積を防ぐ効果を奏する。
【００１６】
また、本発明の水処理システムの改良方法によれば、既設の全面曝気式曝気装置に対して、他の付設設備を設けることなく、かつ曝気効率を下げることなく、曝気装置を設けた面の下にも水流が生じるような曝気装置の配置が可能となる。この結果、曝気槽底部の撹拌を可能とし、曝気槽底部への汚泥の堆積を防ぐ効果を奏する。
【図面の簡単な説明】
【００１７】
【図１】本発明の第１の実施形態の水処理システムの構成を示す概略説明図である。（ａ）本発明の第１の実施形態の水処理システムの全体概略斜視図である。（ｂ）本発明の第１の実施形態の水処理システムの平面図である。（ｃ）本発明の第１の実施形態の水処理システムの側面図である。（図１ｂ中のＩ−Ｉ矢視図）
【図２】本発明の第２の実施形態の水処理システムの構成を示す概略説明図である。（ａ）本発明の第２の実施形態の水処理システムの平面図である。（ｂ）本発明の第２の実施形態の水処理システムの側面図である。（図２ａ中のII−II矢視図）
【図３】本発明の第３の実施形態の水処理システムの構成を示す概略説明図である。（ａ）本発明の第３の実施形態の水処理システムの平面図である。（ｂ）本発明の第３の実施形態の水処理システムの側面図である。（図３ａ中のIII−III矢視図）
【図４】底部流速シミュレーションの結果を示した図である。（ａ）本発明の第２の実施形態の水処理システムにおける結果を示した図である。（ｂ）従来の全面曝気式の水処理システムにおける結果を示した図である。
【図５】本発明の第２の実施形態の水処理システムと、全面曝気式の曝気装置を備えた従来の水処理システムにおける底部平均流速の比較したグラフである。
【発明を実施するための形態】
【００１８】
本発明の水処理システムは、液体中に微細な気泡を分散させるための曝気装置を有する排水処理装置等に利用するものである。好ましくは、排水等を活性汚泥により生物学的水処理するための曝気槽に用いる曝気装置を備える水処理システムに利用される。
【００１９】
本発明の水処理システムは、曝気槽の略全面に曝気装置を備える水処理システムであって、前記曝気装置は、曝気槽の幅方向の略全幅に曝気体を配した全幅曝気ユニットと、曝気槽の幅方向の一部に曝気体を配した部分曝気ユニットとを組み合わせてなることを特徴とする。
【００２０】
以下、本発明の実施形態を、添付画面を参照して詳細に説明する。なお、この実施形態は、本発明を限定するものではない。
【００２１】
〔第１の実施形態〕
図１は、本発明の第１の実施形態の水処理システムの構成を示す概略説明図である。（ａ）本発明の第１の実施形態の水処理システムの全体概略斜視図である。（ｂ）本発明の第１の実施形態の水処理システムの平面図である。（ｃ）本発明の第１の実施形態の水処理システムの側面図である。（図１ｂ中のＩ−Ｉ矢視図）
図１に示すように、本実施形態の水処理システム１０は、例えば活性汚泥を用いた水処理施設の曝気槽２内に曝気装置１ａが設置され、曝気装置１ａは曝気槽２内の処理水Ｗ（処理対象水と活性汚泥との混合液）に浸漬するとともに、ブロワーＢに接続された複数の曝気体３からなる曝気ユニットＡＵを有し、これらの曝気ユニットＡＵにブロワーＢから空気が供給されることにより、曝気ユニットＡＵから処理水Ｗ中に気泡を発生させて曝気を行う。
【００２２】
曝気装置１ａの曝気ユニットＡＵは、曝気槽２内で曝気槽２の幅方向（図１ｂの上下方向；以下、単に「幅方向」という）の略全幅に曝気体３を並設した全幅曝気ユニット４と、幅方向の部分的に曝気体３を配した部分曝気ユニット５ａからなるものである。この全幅曝気ユニット４及び部分曝気ユニット５ａは、曝気槽２の長さ方向（図１ｂの左右方向；以下、単に「長さ方向」という）に沿って、それぞれ複数並設置されている。
【００２３】
（曝気槽）
曝気槽２は、略直方体状の槽に上部ハンチＨｕ及び下部ハンチＨｓを有しており、外部には曝気装置１ａに酸素を含む空気を供給するブロワーＢを備えている。また、曝気槽２内部には、曝気槽２の底部の略全面に曝気装置１ａが設けられている。曝気槽２の深さ方向における曝気装置１ａの位置は、特に制限されないが、通常、曝気槽２の底部近傍に設置される。ブロワーＢの吐出圧力の制約や既設施設とのバランスを考慮して、曝気装置１ａを比較的高い位置に設置してもよい。
【００２４】
（曝気ユニット）
曝気ユニットＡＵは、曝気槽２の幅方向に配設した複数の曝気体３と、曝気体３上で幅方向に延在し曝気体３の内部同士を気密に連通させる空気供給管であるヘッダ管７とを有している。また、ブロワーＢからの空気は、送気管８を通じてヘッダ管７に供給されている。
【００２５】
図１ａ及び図１ｂに示されるように、曝気ユニットＡＵは、曝気体３が幅方向の全幅に対して配置され、長さ方向の中心軸ＣＬに対して線対称かつ等間隔に並設される全幅曝気ユニット４と、曝気体３が幅方向片側に偏在して並設される部分曝気ユニット５ａ、部分曝気ユニット５ａと曝気体３の偏在方向を逆にした部分曝気ユニット５ａ’とがある。この全幅曝気ユニット４及び部分曝気ユニット５ａを曝気槽２の長さ方向に沿って並設する。なお、第１の実施形態では、全幅曝気ユニットの配置は、中心軸ＣＬに対して線対称かつ等間隔に並設しているが、全幅曝気ユニットの配置は、略全幅に配置されていればよい。例えば、中心軸ＣＬに対して線対称でなくてもよく、また、等間隔に並設しなくてもよい。
【００２６】
この構成により、曝気装置１ａの配置平面に、曝気が行われない下降流スペース６が形成される。図１ｃに示すように、曝気の際に、曝気による上昇流が水面まで到達し、下降流となって曝気装置１ａまで戻って来た際に、この下降流スペース６を通じて、曝気装置１ａの下側にも水流が生じ、曝気槽２の底部の撹拌が可能となる。
【００２７】
全幅曝気ユニット４及び部分曝気ユニット５ａの数の比率は、特に制限されず、全幅曝気ユニット４及び部分曝気ユニット５ａの数を同数としてもよいし、異数としてもよい。曝気量を確保するという観点から、部分曝気ユニット５ａの数より全幅曝気ユニット４の数を多く設置することが好ましい。
また、全幅曝気ユニット４及び部分曝気ユニット５ａの配置は、特に制限されず、交互に配列してもよいし、ランダムに配列してもよい。
【００２８】
部分曝気ユニットにおける曝気体の位置は、特に制限されず、例えば、曝気槽２の幅方向の片側に偏在してもよいし、幅方向中心側に偏在してもよいし、幅方向の両方の外側に偏在してもよい。
【００２９】
なお、第１の実施形態における部分曝気ユニット５ａ、５ａ’は、ヘッダ管７の長さが全幅曝気ユニット４よりも短くすることにより、下降流スペース６を形成する構成であるが、部分曝気ユニットは、全幅曝気ユニットの一部の曝気体３の散気孔を塞ぐことにより構成してもよい。
【００３０】
また、本発明の本質は、曝気槽の略全面に配置した曝気装置の一部の領域において曝気を止め、下降流スペースを形成することである。全幅曝気ユニットおよび部分曝気ユニットが一体として構成されていてもよい。例えば、曝気槽の長さ方向に延伸した曝気体を用いて、所定の間隔で散気孔を塞ぐことにより下降流スペースを形成してもよい。
【００３１】
曝気装置１ａを平面視した際の下降流スペース６の位置は、特に制限されず、ランダムに配置されても、規則的に配置されてもよい。良好な下降流を形成するという観点から、下降流スペースは規則的に配置されることが好ましく、曝気槽２の幅方向の両側に規則的に配置されることがより好ましい。なお、「規則的」とは、曝気槽２の長さ方向に対して、繰り返し構造を有するものを意味する。
【００３２】
また、下降流スペース６の大きさは、特に制限されないが、曝気槽の幅方向の長さに対する下降流スペースの幅方向の長さが、好ましくは２／３以下であり、より好ましくは１／３以下である。なお、「下降流スペースの幅方向の長さ」とは、図１（ｂ）の両方向矢印Ｐに示すように、曝気装置のない領域の幅方向の長さを示し、一つの部分曝気ユニットにおいて下降流スペースが複数ある場合（例えば図３の「部分曝気ユニット５ｂ）には、その合計とする。また、曝気槽の長さ方向に下降流スペースが複数存在する場合には、上記「曝気槽の幅方向の長さに対する下降流スペースの幅方向の長さ」は、その平均値で表す。
また、曝気槽の長さ方向のおける曝気装置全体の長さに対する一又は複数の下降流スペースの長さの合計は、好ましくは１／３以下である。なお、この曝気槽の長さ方向における「下降流スペースの長さ」は、図１（ｂ）の両方向矢印Ｑに示すように、曝気装置のない領域の長さを示す。
【００３３】
（曝気体）
本発明の曝気体３は、空気を通過する微細な散気孔を有するメンブレンが巻かれた管状部材からなる曝気管であり、「メンブレンパイプ式超微細気泡式散気管」とも呼ばれるものである。曝気体３は、多孔質の合成樹脂又はセラミックからなる散気筒や多数のスリットを設けたフレキシブルチューブのような管状部材からなる曝気管であってもよい。また、曝気体３は、角型、丸型などの板状部材からなる曝気板であってもよい。
【００３４】
〔第２の実施形態〕
図２は、本発明の第２の実施形態の水処理システムを示す概略説明図である。図２（ａ）は、本発明の第２の実施形態の水処理システムの平面図であり、図２（ｂ）は、本発明の第２の実施形態の水処理システムの側面図である。（図２ａ中のII−II矢視図）
第２の実施形態の曝気装置１ｂでは、第１の実施形態の部分曝気ユニット５ａに代えて、曝気体３が幅方向中心側に偏在して並設される部分曝気ユニット５ｂとしたものである。曝気装置１ｂは、全幅曝気ユニット４及び部分曝気ユニット５ｂを曝気槽２の長さ方向に対して交互に延在するように配置されている。
【００３５】
図２ａに示されるように、全幅曝気ユニット４及び部分曝気ユニット５ｂにより形成される下降流スペース６が規則的に曝気装置１ｂの配置面に設けられることになる。この曝気装置１ｂによれば、曝気装置１ｂの配置面の下側に一定間隔で水流が発生することになり、定常的に曝気槽２底部の撹拌が可能となる。
【００３６】
〔第３の実施形態〕
図３は、本発明の第３の実施形態の水処理システムを示す概略説明図である。図３（ａ）は、本発明の第３の実施形態の水処理システムの平面図であり、図３（ｂ）は、本発明の第３の実施形態の水処理システムの側面図である。（図３ａ中のIII−III矢視図）
第３の実施形態の曝気装置１ｃでは、第２の実施形態の全幅曝気ユニット４及び部分曝気ユニット５ｂに加えて、曝気体３が幅方向曝気槽壁面の両側に偏在して並設される部分曝気ユニット５ｃを備えるものである。曝気装置１ｃは、全幅曝気ユニット４及び部分曝気ユニット５ｂ、５ｃを曝気槽２の長さ方向に対して延在するように配置されている。なお、図３ａでは、全幅曝気ユニット４、部分曝気ユニット５ｂ、全幅曝気ユニット４、部分曝気ユニット５ｃ、全幅曝気ユニット４となるように配置している。
【００３７】
図３ａに示されるように、全幅曝気ユニット４及び部分曝気ユニット５ｂ、５ｃにより形成される下降流スペース６が曝気槽２の長さ方向中心軸ＣＬ側と曝気槽２の壁面の両側に設けられることになる。この曝気装置１ｃによれば、曝気槽２の長さ方向中心軸ＣＬ側からの下降流及び壁面側からの下降流が曝気装置１ｃの下側に誘導され、曝気槽２底部の撹拌を可能とする。
【００３８】
［水処理システムの改良方法］
本発明の水処理システムの改良方法は、曝気槽の略全面に曝気装置を備える既設の水処理システムにおいて、曝気槽の幅方向の略全面に曝気体を配した既設の全幅曝気ユニットのうちの一部を、曝気槽の幅方向の一部に曝気体を配した部分曝気ユニットとなるようにして、曝気装置の配置面において曝気による下降流が通過する下降流スペースが形成されるようにすればよい。
具体的には、曝気体が幅方向に均等配置された既設の曝気装置において、上記下降流スペースが形成されるように、曝気体の一部を取り外したり、一部の曝気を停止したりするようにすればよい。
この水処理システムの改良方法により、全面曝気式の曝気装置を備えた既設の水処理システムにおいて、新たな付設装置を設けることなく、かつ既設の曝気装置の全てを交換する必要がなく、曝気槽底部の十分な撹拌が可能な曝気装置を備えた水処理システムとすることができる。
【００３９】
＜曝気装置の底部流速シミュレーション＞
本発明の水処理システムについて底部流速シミュレーションを行った。曝気ユニットＡＵの配置は、上記第２の実施形態に倣い、曝気ユニットＡＵを構成する曝気体３を１０本としてシミュレーションを行った。その結果を図４ａに示す。
なお、図４ｂは、曝気体を均等配置した従来の全面曝気式の曝気装置における底部流速シミュレーションの結果である。このシミュレーションにおいて、図４ａ及び図４ｂの曝気体の数は同一としている。
【００４０】
シミュレーションはＡＮＳＹＳ社の汎用流体シミュレーション用ソフト「フルーエント」を用いて行った。図４で示した計算結果は曝気槽幅が５．５ｍ、槽長が８．６ｍ、槽水深が５．０ｍ、曝気装置設置水深が４．０ｍに対して実施した結果であるが、あくまでも一例であり、槽形状、曝気装置設置水深、曝気装置レイアウト等を限定するものではない。
【００４１】
図４ａから、本発明の水処理システムでは、曝気槽２底部において、曝気槽２の壁面側にある下降流スペース６の下側から曝気槽２の長さ方向中心軸ＣＬに向かって一定方向の流れが形成されていることがわかる。一方、図４ｂから、従来の曝気装置においては曝気槽２底部の流れは一定の方向にはなっていないことがわかる。
【００４２】
図５には、本発明の第２の実施形態の水処理システムと、全面曝気式の曝気装置を備えた従来の水処理システムにおける底部平均流速の比較したグラフを示した。
底部流速の平均値を比較すると、本発明の曝気装置における底部平均流速は、従来の全面曝気式の曝気装置における底部平均流速よりも２．２倍速くなった。
【００４３】
図４、５の結果から、複数の曝気体からなる曝気ユニットを備える全面曝気式の曝気装置において、曝気による下降流が通過する下降流スペースを設けることにより、曝気槽の底部に十分な速さの一定方向の流れが生じ、曝気槽内の効果的な撹拌が可能となる。
【産業上の利用可能性】
【００４４】
本発明の水処理システムは、下水処理場等の有機性汚泥や、食品工場や医薬品工場等の有機性排水の好気性微生物処理槽及びその処理方法に使用することができる。
【００４５】
本発明の水処理システムの改良方法は、既設の曝気装置を利用して本発明の水処理システムを導入することができる方法を提供することができる。
【符号の説明】
【００４６】
１ａ、１ｂ、１ｃ  曝気装置、２  曝気槽、３  曝気体、４  全幅曝気ユニット、５ａ、５ａ’、５ｂ、５ｃ  部分曝気ユニット、６  下降流スペース、７  ヘッダ管、８  送気管、１０  水処理システム、ＡＵ  曝気ユニット、Ｈｕ  上部ハンチ、Ｈｓ  下部ハンチ、Ｂ  ブロワー、Ｗ  処理水
【図１】
2018164887.tif 000003
【図２】
2018164887.tif 000004
【図３】
2018164887.tif 000005
【図４】
2018164887.tif 000006
【図５】
2018164887.tif 000007